(57)【要約】【課題】  給油エリアに進入してきた自動車を車両センサで検知し、給油作業を行う前に、報知部で除電操作を促し、確実に静電気の除去の作業を行うことができ、静電気の放電による危険を防止することができる給油装置を提供する。【解決手段】  給油機構を収納した下部ケース１３及び、この下部ケース１３の上部に各種の機器を制御する制御装置４０を収納した上部ケース１４を有する本体ケース１１が、給油エリアに面したアイランド２上に立設された給油装置において、アイランド２に設けられた給油エリアに進入してくる車両を検知する車両センサ３２と、人体に帯電した静電気を除電するための除電操作部２０と、車両センサ３２の車両を検知した信号により除電操作部２０により除電操作を促す報知を行う報知部３０と、除電操作部２０による除電操作を検知して報知部３０による報知を停止させる除電スイッチ２６とを備える。【選択図】      図１
2007001609.tif 000002
【特許請求の範囲】
【請求項１】
給油機構を収納した下部ケース及び、この下部ケースの上部に各種の機器を制御する制御装置を収納した上部ケースを有する本体ケースが、給油エリアに面したアイランド上に立設された給油装置において、
前記アイランドに設けられた給油エリアに進入してくる車両を検知する車両センサと、人体に帯電した静電気を除電するための除電操作部と、前記車両センサの車両を検知した信号により前記除電操作部により除電操作を促す報知を行う報知部と、前記除電操作部による除電操作を検知して前記報知部による報知を停止させる除電スイッチとを備えたことを特徴とする給油装置。
【請求項２】
前記除電操作部は、前記本体ケースの操作面側に配置された導電性材料からなる除電操作ボタンと、この除電操作ボタンを取付ける導電性材料からなるバネ部材と、前記除電操作ボタンの操作によりオン・オフする前記除電スイッチとを有し、前記除電操作ボタンは、前記バネ部材を介してアース線により地中のアース端子に接続されていることを特徴とする請求項１記載の給油装置。
【請求項３】
前記報知部は、除電操作を促す点灯または点滅するランプを有することを特徴とする請求項１記載の給油装置。
【請求項４】
前記ランプは、前記除電操作部の近傍に配置されていることを特徴とする請求項３記載の給油装置。
【請求項５】
前記ランプは、前記除電操作部の除電操作ボタンと一体に設けられていることを特徴とする請求項３記載の給油装置。
【請求項６】
前記報知部は、除電操作を促す音声を出力するスピーカを有することを特徴とする請求項１記載の給油装置。
【請求項７】
前記本体ケースには、前記除電スイッチの作動により給油設定が可能となる給油設定操作部を有することを特徴とする請求項１記載の給油装置。
【発明の詳細な説明】
【技術分野】
【０００１】
本発明は、給油所において自動車等に燃料油を供給する給油装置に関するものである。
【背景技術】
【０００２】
近年の給油所においては、人件費の削減のために顧客自身が給油操作を行うセルフ給油所が設置されているところが増加している。このセルフ給油所において不特定多数の顧客が給油装置により供給する燃料油は、引火性が高く、人体に帯電した静電気が放電してスパークが生じ、燃料油のベーパーに引火し、火災発生等の原因になるおそれがあった。これに対して、給油希望者が自身の身体部分を接触することにより身体に帯電している静電気を除去する静電気除去シートと、この静電気除去シートに接触することにより人体に帯電している静電気が除去されたことを感知するセンサと、静電気を除去した給油希望者が給油する給油手段とを備えた無人給油装置に関する技術が開示されている（例えば、特許文献１参照。）。
【特許文献１】特開２００５−４７５５９号公報（第４及び５ページ、図１〜４）。
【発明の開示】
【発明が解決しようとする課題】
【０００３】
しかしながら、従来の無人給油装置では、顧客が給油作業を行うために、自動車から降りて燃料タンクの給油口のキャップを明ける前に、人体に帯電した静電気を除去する作業が要求されるが、この除去のための作業が確実に行われない不具合が生じるおそれがあった。そのため、人体に帯電した静電気を除去する前に誤まって給油口のキャップを明けることで、放電によりスパークが生じ、火災発生等の原因になる危険があった。
【０００４】
本発明は上記事情に鑑みなされたもので、給油エリアに自動車が進入してきたとき、給油作業を行う前に、確実に静電気の除去の作業を行うことができ、静電気の放電による危険を防止することができる給油装置を提供することを目的とする。
【課題を解決するための手段】
【０００５】
上記目的を達成するために請求項１に記載の発明にあっては、給油機構を収納した下部ケース及び、この下部ケースの上部に各種の機器を制御する制御装置を収納した上部ケースを有する本体ケースが、給油エリアに面したアイランド上に立設された給油装置において、前記アイランドに設けられた給油エリアに進入してくる車両を検知する車両センサと、人体に帯電した静電気を除電するための除電操作部と、前記車両センサの車両を検知した信号により前記除電操作部により除電操作を促す報知を行う報知部と、前記除電操作部による除電操作を検知して前記報知部による報知を停止させる除電スイッチとを備えたことを特徴とするものである。給油エリアに進入してきた自動車を車両センサで検知し、給油作業を行う前に、報知部で除電操作を促し、確実に静電気の除去の作業を行うことができ、静電気の放電による危険を防止することができる。
【０００６】
請求項２に記載の発明にあっては、前記除電操作部は、前記本体ケースの操作面側に配置された導電性材料からなる除電操作ボタンと、この除電操作ボタンを取付ける導電性材料からなるバネ部材と、前記除電操作ボタンの操作によりオン・オフする前記除電スイッチとを有し、前記除電操作ボタンは、前記バネ部材を介してアース線により地中のアース端子に接続されていることを特徴とするものである。除電操作ボタンを手で触れることで静電気の除電ができ、同時にこの操作を除電スイッチで検知できる。
【０００７】
請求項３に記載の発明にあっては、前記報知部は、除電操作を促す点灯または点滅するランプを有することを特徴とするものである。除電操作をランプによる点灯または点滅で促すことができる。
【０００８】
請求項４に記載の発明にあっては、前記ランプは、前記除電操作部の近傍に配置されていることを特徴とするものである。ランプを除電操作部の近傍に配置することで操作を簡単に案内することができる。
【０００９】
請求項５に記載の発明にあっては、前記ランプは、前記除電操作部の除電操作ボタンと一体に設けられていることを特徴とするものである。除電操作ボタンにランプを一体に設けることで操作を確実に行わせることができる。
【００１０】
請求項６に記載の発明にあっては、前記報知部は、除電操作を促す音声を出力するスピーカを有することを特徴とするものである。除電操作をスピーカによる音声で案内することができる。
【００１１】
請求項７に記載の発明にあっては、前記本体ケースには、前記除電スイッチの作動により給油設定が可能となる給油設定操作部を有することを特徴とするものである。除電スイッチの作動により給油設定操作部の給油設定を可能とすることで給油作業前に静電気の除去を確実に行うことができる。
【発明の効果】
【００１２】
本発明では、給油機構を収納した下部ケース及び、この下部ケースの上部に各種の機器を制御する制御装置を収納した上部ケースを有する本体ケースが、給油エリアに面したアイランド上に立設された給油装置において、アイランドに設けられた給油エリアに進入してくる車両を検知する車両センサと、人体に帯電した静電気を除電するための除電操作部と、車両センサの車両を検知した信号により除電操作部により除電操作を促す報知を行う報知部と、除電操作部による除電操作を検知して報知部による報知を停止させる除電スイッチとを備えたことで、給油エリアに進入してきた自動車を車両センサで検知し、給油作業を行う前に、報知部で除電操作を促し、確実に静電気の除去の作業を行うことができ、静電気の放電による危険を防止することができる。
【発明を実施するための最良の形態】
【００１３】
以下、本発明を図示の一実施形態により具体的に説明する。図１〜図６は本発明実施形態の給油装置を説明する図であり、図１は給油装置の正面図、図２は給油装置の側面図、図３は給油装置の静電気除去部を説明する図、図４は給油装置の静電気除去部の正面図、図５は給油装置の動作を説明するブロック図、図６は給油装置の報知動作を説明するフローチャートである。
【００１４】
これらの図において、本実施形態の給油装置１０は、例えば、レギュラーガソリン、ハイオクガソリンあるいは軽油等の燃料油を顧客自身が操作して給油するセルフサービス式の地上設置型装置であり、給油所の敷地１のアイランド２上に本体ケース１１が立設されている。この本体ケース１１は、アイランド２に配置されたペースプレート１２の上部に設けられた下部ケース１３と、この下部ケース１３の上部に配置された上部ケース１４と、下部ケース１３及び上部ケース１４の左右に設けられた支柱１５，１５と、支柱１５，１５の上端部間に設けられた頂部ケース１６とから構成されている。下部ケース１３内には、各油種の給油機構として、敷地１の地下に埋設された図示しない地下タンクへ連通された給油ポンプ４７、給油量を計量する流量計４９等が収納され、かつ後に詳細に説明する静電気を除電するときの経路の一部となる配線をまとめたジョイントボックス５０等が収納されている。給油ポンプ４７で給油される燃料油は、流量計４９の吐出口側に設けられた配管により左右の支柱１５，１５を通って頂部ケース１６内に案内される。この頂部ケース１６に燃料油を案内する配管は、その頂部ケース１６の下面に取付けられた配管継手１７を介して給油ホース１８の一端部側が接続されている。この給油ホース１８は、頂部ケース１６から配管継手１７を介して吊り下げられ、他端部側に給油ノズル１９が接続されている。この給油ノズル１９は、本体ケース１１の側面側に取り付けられたノズル掛け２１に掛けられるようになっている。また、ノズル掛け２１の近傍には、給油ノズル１９の掛け外しを検知するノズルスイッチ４８が設けられている。上部ケース１４は、各種の機器及びその機器類を制御する制御装置４０が収納され、その操作側の表面には、流量計４９で計測した燃料油の給油量等を表示する表示計２２、油種や給油量等の給油設定等を行うための操作パネル等からなる給油設定操作部２３等が配置されている。また、本体ケース１１の操作側の他の表面には、人体に帯電した静電気を除電するための除電操作部２０が設けられ、この除電操作部２０の近傍には、報知部３０の一部として、例えば、「給油作業を行う前に静電気除去ボタンに触れてください」等の除電操作を顧客へ促すための音声を出力するスピーカ３１が設けられている。アイランド２の給油エリア側の側面には、給油のために進入してくる車両を検知する車両センサ３２が設けられている。
【００１５】
除電操作部２０は、ノズル掛け２１上部側の上部ケース１４の操作面に設けられ、図３に示すように、除電のための導電性材料からなる除電操作ボタン２４と、この除電操作ボタン２４を取付ける導電性材料からなるバネ部材２５と、除電操作ボタン２４の操作によりオン・オフする除電スイッチ２６等とを備えている。除電操作ボタン２４は、人の手のひらで触れることができる形状に形成され、上部ケース１４の表面に配置されている。また、除電操作ボタン２４は、上部ケース１４の表面との間に板状のバネ部材２５を介して、押しボタンと同様の弾性力をもって操作できるよう取付けれらている。バネ部材２５は、アース線２８を介して本体ケース１１のジョイントボックス５０に接続され、さらに地中のアース端子に接続されている。除電スイッチ２６の信号線２７は、後に詳細に説明する制御装置４０に接続されて各種の機器が動作するようになっている。除電操作ボタン２４の近傍には、報知部３０の一部として除電操作を促すために点灯あるいは点滅するランプ２９が設けられている。なお、除電操作部２０の上部ケース１４の操作面は、図４に示すように、除電操作ボタン２４の近傍に、人の手の形を模した絵が表示され、その表面に給油作業を開始する前に静電気の除去を行うことを促すための、例えば、「はじめにタッチ！」及び「静電気除去ボタンに触れてください「パチッ」ときません」等の文字が表示されている。また、除電操作ボタン２４の上部側には、図３に示すように、ランプ２９が配置されているが、他の実施形態として、例えば、図４において、除電操作ボタン２４上に点線で示す位置にランプ２９を配置するようにしてもよい。
【００１６】
制御装置４０は、図５に示すように、車両センサ３２からの検知信号により報知部３０を制御する第１駆動部４１と、除電スイッチ２６からのオン・オフ信号により報知部３０及び給油設定操作部２３を制御する第２駆動部４２と、除電スイッチ２６及びノズルスイッチ４８からのオン・オフ信号を受信するゲート部４３と、ゲート部４３からの信号を受信して給油ポンプ４７の駆動制御するポンプ駆動部４４と、流量計４９からのパルス信号及びゲート部からの信号を受信して給油量を計数する計数手段４６と、この計数手段４６で計数された給油量に関する信号を受信して表示計２２を駆動する表示計駆動部４５等とを備えている。報知部３０は、上記の説明の通り、給油作業前に除電操作を促すものであり、ランプ２９及びスピーカ３１を備えている。ランプ２９は、第１駆動部４１からの車両センサ３２による車両を検知したときのオン信号及び、第２駆動部４２からの除電スイッチ２６のオフ信号により、点灯または点滅動作する。スピーカ３１は、第１駆動部４１からの車両センサ３２による車両を検知したときのオン信号及び、第２駆動部４２からの除電スイッチ２６のオフ信号により、音声を出力する。給油設定操作部２３は、第２駆動部４２からの除電スイッチ２６のオン信号に基づいて操作可能になる。
【００１７】
次に、本発明実施形態の給油装置１０の動作を、図６に示すフローチャートに基づいて具体的に説明する。まず、車両が給油装置１０が設けられている給油エリアに進入して、車両センサ３２が車両を検知してオン信号を出力し（ＳＴ１）、続いて車両の運転者が給油作業を開始する前の一定の短い時間Ｔが経過したとき（ＳＴ２）、第１駆動部４１及び第２駆動部４２により報知部３０が動作を開始する（ＳＴ３）。すなわち、車両センサ３２が車両を検知してオン信号を出力し、一定時間Ｔが経過した後に、除電操作部２０において除電操作していないで除電スイッチ２６がオフ信号のときには、第１駆動部４１からのオン信号及び第２駆動部４２のオフ信号に基づいて、ランプ２９が点灯または点滅を開始し、スピーカ３１が除電操作を促す音声を出力する。次に、給油作業を行う運転者が除電操作部２０において、除電操作ボタン２４を手で押して除電スイッチ２６がオンとなると、第１駆動部４１のオン信号及び第２駆動部４２のオン信号に基づいて、報知部３０におけるランプ２９が消灯し、同時にスピーカ３１の音声の出力が停止し、かつ給油設定操作部２３による油種や給油量の設定が可能になる（ＳＴ５）。この除電操作ボタン２４を手で押すことで、人体に帯電している静電気は、除電操作ボタン２４、バネ部材２５、アース線２８、ジョイントボックス５０を経由して地中のアース端子に放電される。その後は、通常の給油作業の通り、車両の給油口のキャップを明け、給油設定操作部２３により油種や給油量の設定を行い、給油ノズル１９をノズル掛け２１から外し、ノズルスイッチ４８がオンになると、給油ポンプ４７がポンプ駆動部４４により駆動され、流量計４９の流量パルスが計数手段４６により計数され、表示計駆動部４５により表示計２２に給油量等が表示される。給油終了後は給油ノズル１９をノズル掛け２１に掛けるとノズルスイッチ４８がオフとなって給油作業が終了する。
【００１８】
上記構成の給油装置１０では、車両が給油装置１０が設けられている給油エリアに進入すると車両センサ３２が車両を検知し、顧客が給油作業を開始する前の短い時間経過後に、除電操作部２０の近傍に配置されている報知部３０のランプ２９が点灯または点滅を開始し、スピーカ３１から人体に帯電した静電気の除去作業を行うよう音声が出力される。これにより、顧客は給油作業を行う前に静電気の除電操作が必要なことを知ることができ、かつランプ２９の近傍に除電操作部２０が設けられていることで、除電作業の場所を簡単に知ることができる。除電操作部２０においては、人の手の形を模した絵に合わせて除電操作ボタン２４が配置され、表面に除電操作を案内する文字や表示されているため、操作を間違いなく行うことができ、除電操作ボタン２４に手のひらを合わせて押すことで、顧客の人体に帯電した静電気は、除電操作ボタン２４、バネ部材２５、アース線２８、ジョイントボックス５０を経由して地中のアース端子に放電される。この
除電操作ボタン２４の操作により除電スイッチ２６がオンになり、報知部３０による報知動作が停止し、同時に給油設定操作部２３により給油設定が可能になる。したがって、除電操作部２０において静電気の除電操作を終了していないときには、給油設定ができず、給油作業も行うことができないため、給油作業を行う前に、確実に静電気の除去の作業を行うことができ、静電気の放電による危険を防止することができる。
【００１９】
なお、上記実施形態において、本体ケース１１の形状、除電操作部２０の位置等は任意にでき、実施形態に限定されない。また、報知部３０は、少なくとも給油作業前に静電気の除電操作を音声あるいは光により促すものであればよく、その報知内容も任意にできる。
【産業上の利用可能性】
【００２０】
給油所において自動車等に燃料油を供給する給油装置の給油ノズルに利用することができる。
【図面の簡単な説明】
【００２１】
【図１】本発明実施形態の給油装置の正面図である。
【図２】本発明実施形態の給油装置の側面図である。
【図３】本発明実施形態の給油装置の静電気除去部を説明する図である。
【図４】本発明実施形態の給油装置の静電気除去部の正面図である。
【図５】本発明実施形態の給油装置の動作を説明するブロック図である。
【図６】本発明実施形態の給油装置の報知動作を説明するフローチャートである。
【符号の説明】
【００２２】
１  敷地
２  アイランド
１０  給油装置
１１  本体ケース
１２  ペースプレート
１３  下部ケース
１４  上部ケース
１５  支柱
１６  頂部ケース
１７  配管継手
１８  給油ホース
１９  給油ノズル
２０  除電操作部
２１  ノズル掛け
２２  表示計
２３  給油設定操作部
２４  除電操作ボタン
２５  バネ部材
２６  除電スイッチ
２７  信号線
２８  アース線
２９  ランプ
３０  報知部
３１  スピーカ
３２  車両センサ
４０  制御装置
４１  第１駆動部
４２  第２駆動部
４３  ゲート部
４４  ポンプ駆動部
４５  表示計駆動部
４６  計数手段
４７  給油ポンプ
４８  ノズルスイッチ
４９  流量計
５０  ジョイントボックス
【図１】
2007001609.tif 000003
【図２】
2007001609.tif 000004
【図３】
2007001609.tif 000005
【図４】
2007001609.tif 000006
【図５】
2007001609.tif 000007
【図６】
2007001609.tif 000008